(57)【要約】【課題】ガス器具判定のためのガス流量パターンを登録するために要する時間を短縮するとともに手間を省き、利便性を向上したガス流量パターン登録方法及び装置、並びに、ガス器具判別装置をを提供する。【解決手段】既存のガス器具の製品番号と、各製品番号に対応するガス器具及び当該ガス器具に対応するガス流量パターンとを対応付けした登録用ガス流量パターンテーブルを第１の記憶手段２３−１に予め格納しておく。ガス器具の製品番号の入力に応じて、当該製品番号に対応付けられたガス器具及び当該ガス器具に対応するガス流量パターンを登録用ガス流量パターンテーブルから抽出したガス器具と当該ガス器具に対応するガス流量パターンとを対応付けした登録ガス流量パターンテーブルを第２の記憶手段１０１に格納して使用中のガス器具を判別するためのガス流量パターンを登録する【選択図】図１
2008185485.tif 000002
【特許請求の範囲】
【請求項１】
ガス供給ラインに接続されているガス器具から使用中のガス器具を判別するためのガス流量パターンを登録するためのガス器具判別用ガス流量パターン登録方法であって、
既存のガス器具の製品番号と、各製品番号に対応するガス器具及び当該ガス器具に対応するガス流量パターンとを対応付けした登録用ガス流量パターンテーブルを第１の記憶手段に予め格納しておき、
前記ガス供給ラインに接続されるガス器具の製品番号の入力に応じて、当該製品番号に対応付けられたガス器具及び当該ガス器具に対応するガス流量パターンを前記登録用ガス流量パターンテーブルから抽出し、
該抽出したガス器具と当該ガス器具に対応するガス流量パターンとを対応付けした登録ガス流量パターンテーブルを第２の記憶手段に格納して、ガスメータにおいて検知したガス流量値に基づいて検出した使用中のガス器具のガス流量パターンと対比して使用中のガス器具を判別するためのガス流量パターンを登録する
ことを特徴とするガス器具判別用ガス流量パターン登録方法。
【請求項２】
ガス供給ラインに接続されているガス器具から使用中のガス器具を判別するためのガス流量パターンを登録するためのガス器具判別用ガス流量パターン登録装置であって、
既存のガス器具の製品番号と、各製品番号に対応するガス器具及び当該ガス器具に対応するガス流量パターンとを対応付けした登録用ガス流量パターンテーブルを予め格納した第１の記憶手段と、
前記ガス供給ラインに接続されるガス器具の製品番号を入力するための入力手段と、
該入力手段による前記製品番号の入力に応じて、当該製品番号に対応付けられたガス器具及び当該ガス器具に対応するガス流量パターンを前記登録用ガス流量パターンテーブルから抽出するガス流量パターン抽出手段と、
該抽出手段により抽出したガス器具と当該ガス器具に対応するガス流量パターンとを対応付けした登録ガス流量パターンテーブルを格納する第２の記憶手段とを備え、
ガスメータにおいて検知したガス流量値に基づいて検出した使用中のガス器具のガス流量パターンと対比して使用中のガス器具を判別するためのガス流量パターンを登録する
ことを特徴とするガス器具判別用ガス流量パターン登録装置。
【請求項３】
前記第１の記憶手段と、前記入力手段と、前記ガス流量パターン抽出手段と、前記第２の記憶手段とが、信号線を介してガスメータに接続されガスメータと別体に構成された装置内に設けられ、
ガスメータから前記信号線を介して入力した前記ガス流量値に基づいて検出した使用中のガス器具のガス流量パターンと対比して使用中のガス器具を判別するためのガス流量パターンを登録する
ことを特徴とする請求項２記載のガス器具判別用ガス流量パターン登録装置。
【請求項４】
前記第１の記憶手段と、前記入力手段と、前記ガス流量パターン抽出手段とが通信線を介してガスメータに接続されガスメータと別体に構成された装置内に設けられ、前記第２の記憶手段がガスメータ内に設けられ、
ガスメータにおいて検知した前記ガス流量値に基づいて検出した使用中のガス器具のガス流量パターンと対比して使用中のガス器具をメータ内において判別するためのガス流量パターンを登録する
ことを特徴とする請求項２記載のガス器具判別用ガス流量パターン登録装置。
【請求項５】
前記入力手段はコード読取手段であり、
前記第２の記憶手段は、前記コード読取手段が前記登録用ガス流量パターンテーブルに格納されていない製品番号を読み取ったとき、前記コード読取手段により読み取った当該製品番号に対応するガス器具と当該ガス器具に対応するガス流量パターンとを対応付けした登録ガス流量パターンテーブルを追加格納する
ことを特徴とする請求項２〜４の何れかに記載のガス器具判別用ガス流量パターン登録装置。
【請求項６】
ガス供給ラインに接続されているガス器具から使用中のガス器具を判別するガス器具判別装置であって、
既存のガス器具の製品番号と、各製品番号に対応するガス器具及び当該ガス器具に対応するガス流量パターンとを予め対応付けした登録用ガス流量パターンテーブルを予め格納した第１の記憶手段と、
前記ガス供給ラインに接続されるガス器具の製品番号を入力するための入力手段と、
該入力手段による前記製品番号の入力に応じて、当該製品番号に対応付けられたガス器具及び当該ガス器具に対応するガス流量パターンを前記登録用ガス流量パターンテーブルから抽出するガス流量パターン抽出手段と、
該抽出手段により抽出したガス器具と当該ガス器具に対応するガス流量パターンとを対応付けした登録ガス流量パターンテーブルを格納する第２の記憶手段と、
ガスメータにおいて検知したガス流量値に基づいて検出した使用中のガス器具のガス流量パターンを検出するガス流量パターン検出手段と、
該ガス流量パターン検出手段により検出したガス流量パターンとマッチングするガス流量パターンを前記第２の記憶手段に格納されている前記登録ガス流量パターンテーブルから抽出し、当該ガス流量パターンに対応付けられたガス器具を抽出するガス器具判定手段と
を備えることを特徴とするガス器具判別装置。
【請求項７】
前記第１の記憶手段と、前記入力手段と、前記ガス流量パターン抽出手段と、前記第２の記憶手段と、前記ガス流量パターン検出手段と、前記ガス器具判定手段とが、信号線を介してガスメータに接続されガスメータと別体に構成された装置内に設けられている
ことを特徴とする請求項６記載のガス器具判別装置。
【請求項８】
前記第１の記憶手段と、前記入力手段と、前記ガス流量パターン抽出手段とが通信線を介してガスメータに接続されガスメータと別体に構成された装置内に設けられ、前記第２の記憶手段と、前記ガス流量パターン検出手段と、前記ガス器具判定手段とがガスメータ内に設けられている
ことを特徴とする請求項６記載のガス器具判別装置。
【発明の詳細な説明】
【技術分野】
【０００１】
本発明はガス器具判別用ガス流量パターン登録方法及び装置並びにガス器具判別装置に係り、より詳細には、ガス供給ラインに接続されているガス器具から使用中のガス器具を判別するためのガス流量パターンを登録する流量パターン登録方法及び装置、並びに、登録したガス流量パターンを利用してガス供給ラインに接続された使用中のガス器具を判定するガス器具判別装置に関するものである。
【背景技術】
【０００２】
従来、ガス器具判別装置として、ガスコンロ、ガスファンヒータ、ガス床暖房器などの複数種類のガス器具について、燃焼制御に伴って発生する一連のガス流量パターンを分割した部分流量パターンを、例えば、点火時、その後の初期過渡期、それに続いて流量が安定する安定期などの制御ステップ毎に分類した流量パターンテーブルと、複数種類のガス器具とそれに対応する部分流量パターンの組合せとを対応付けた器具テーブルと、ガス供給ラインで検出されたガス流量パターンとマッチングする部分流量パターンを流量パターンテーブルから抽出し、当該抽出された部分流量パターンの組合せとマッチングするガス器具を器具テーブルから抽出する器具判定手段と、器具判定手段が特定のガス器具を抽出した時に登録され、当該特定ガス器具に対する部分流量パターンと検出ガス流量とを制御ステップ毎に有する登録器具テーブルと、ガス供給ラインで検出されたガス流量パターンとマッチングする部分流量パターンを、流量パターンテーブルから抽出し、抽出された部分流量パターンの組合せ及び各制御ステップのガス流量とマッチングするガス器具を登録器具テーブルから抽出する登録器具判定手段とを備えるものが提案されている（例えば、特許文献１及び特許文献２参照。）。
【０００３】
ガス器具判別装置による判別の結果は、最適な保安機能やその他のサービス、例えば、器具別ガス使用量の積算などに利用される。
【特許文献１】特願２００３−１４８７２８
【特許文献２】特願２００３−１４９０１９
【発明の開示】
【発明が解決しようとする課題】
【０００４】
上述したガス器具判別装置では、ガス供給ラインに接続された使用中のガス器具を判別するためのガス流量パターンを登録した登録器具テーブルは、器具判定手段が特定のガス器具を抽出することによって作成されるようになっている。具体的には、器具判別のためのテーブルを登録するためには、登録を行う例えばガスコンロなどのガス器具のみを動作させて流量パターンを学習することが必要である。したがって、ガスコンロ以外に、ガスファンヒータ、ガス床暖房器について登録する場合にも、同様の作業が必要であり、膨大な時間と手間を要するという問題がある。
【０００５】
また、ガス流量パターンを登録するための機能がガスメータに組み込まれているが、ガスメータの処理能力を考えると、複数種類のガス器具について、燃焼制御に伴って発生する一連のガス流量パターンを分割した部分流量パターンを制御ステップ毎に分類した流量パターンテーブルをガスメータに持たせること、及び、ガス流量テーブルを利用して判別のためのガス流量パターンをガスメータにおいて登録処理させることは、共に困難であった。
【０００６】
よって本発明は、上述した問題点に鑑み、ガス器具判定のためのガス流量パターンを登録するために要する時間を短縮するとともに手間を省き、利便性を向上したガス流量パターン登録方法及び装置、並びに、該方法及び装置によって登録したガス流量パターンを利用してガス器具を判別するガス器具判別装置を提供することを課題としている。
【課題を解決するための手段】
【０００７】
上記課題を解決するためになされた請求項１に係るガス器具判別用ガス流量パターン登録方法は、ガス供給ラインに接続されているガス器具から使用中のガス器具を判別するためのガス流量パターンを登録するためのガス器具判別用ガス流量パターン登録方法であって、既存のガス器具の製品番号と、各製品番号に対応するガス器具及び当該ガス器具に対応するガス流量パターンとを対応付けした登録用ガス流量パターンテーブルを第１の記憶手段２３−１に予め格納しておき、前記ガス供給ラインに接続されるガス器具の製品番号の入力に応じて、当該製品番号に対応付けられたガス器具及び当該ガス器具に対応するガス流量パターンを前記登録用ガス流量パターンテーブルから抽出し、該抽出したガス器具と当該ガス器具に対応するガス流量パターンとを対応付けした登録ガス流量パターンテーブルを第２の記憶手段１０１に格納して、ガスメータにおいて検知したガス流量値に基づいて検出した使用中のガス器具のガス流量パターンと対比して使用中のガス器具を判別するためのガス流量パターンを登録することを特徴とする。
【０００８】
請求項１記載の発明によれば、既存のガス器具の製品番号と、各製品番号に対応するガス器具及び当該ガス器具に対応するガス流量パターンとを対応付けした登録用ガス流量パターンテーブルを第１の記憶手段２３−１に予め格納しておき、ガス供給ラインに接続されるガス器具の製品番号の入力に応じて、当該製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段１０１に格納して、ガスメータにおいて検知したガス流量値に基づいて検出した使用中のガス器具のガス流量パターンと対比して使用中のガス器具を判別するためのガス流量パターンを登録するので、ガス供給ラインに接続されるガス器具のガス流量パターンを登録する際に、ガス供給ラインにガス器具を接続して当該ガス器具を実際に使用状態にすることなく、製品番号を単に入力するだけで、入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別するためのガス流量パターンを登録することができる。
【０００９】
上記課題を解決するためになされた請求項２に係るガス器具判別用ガス流量パターン登録方装置、ガス供給ラインに接続されているガス器具から使用中のガス器具を判別するためのガス流量パターンを登録するためのガス器具判別用ガス流量パターン登録装置であって、図１のブロック図に示すように、既存のガス器具の製品番号と、各製品番号に対応するガス器具及び当該ガス器具に対応するガス流量パターンとを対応付けした登録用ガス流量パターンテーブルを予め格納した第１の記憶手段２３−１と、前記ガス供給ラインに接続されるガス器具の製品番号を入力するための入力手段２４と、該入力手段による前記製品番号の入力に応じて、当該製品番号に対応付けられたガス器具及び当該ガス器具に対応するガス流量パターンを前記登録用ガス流量パターンテーブルから抽出するガス流量パターン抽出手段２３−２と、該抽出手段により抽出したガス器具と当該ガス器具に対応するガス流量パターンとを対応付けした登録ガス流量パターンテーブルを格納する第２の記憶手段１０１とを備え、ガスメータにおいて検知したガス流量値に基づいて検出した使用中のガス器具のガス流量パターンと対比して使用中のガス器具を判別するためのガス流量パターンを登録することを特徴とする。
【００１０】
請求項２記載の発明によれば、既存のガス器具の製品番号と、各製品番号に対応するガス器具及び当該ガス器具に対応するガス流量パターンとを対応付けした登録用ガス流量パターンテーブルを第１の記憶手段２３−１に予め格納しておき、入力手段２４によりガス供給ラインに接続されるガス器具の製品番号を入力すると、これに応じて、当該製品番号に対応付けられたガス器具及び当該ガス器具に対応するガス流量パターンを、第１の記憶手段１２３−１に予め格納登録用ガス流量パターンテーブルから抽出し、該抽出したガス器具と当該ガス器具に対応するガス流量パターンとを対応付けした登録ガス流量パターンテーブルを第２の記憶手段１０１に格納して、ガスメータにおいて検知したガス流量値に基づいて検出した使用中のガス器具のガス流量パターンと対比して使用中のガス器具を判別するためのガス流量パターンを登録するので、ガス供給ラインに接続されるガス器具のガス流量パターンを登録する際に、ガス供給ラインにガス器具を接続して当該ガス器具を実際に使用状態にすることなく、入力手段２４により製品番号を単に入力するだけで、入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段１０１に格納し、ガスメータにおいて検知したガス流量値に基づいて検出した使用中のガス器具のガス流量パターンと対比して使用中のガス器具を判別するためのガス流量パターンを登録することができる。
【００１１】
請求項３に係るガス器具判別用ガス流量パターン登録装置は、請求項２記載のガス器具判別用ガス流量パターン登録装置において、前記第１の記憶手段２３−１と、前記入力手段２４と、前記ガス流量パターン抽出手段２３−２と、前記第２の記憶手段１０１とが、信号線を介してガスメータに接続されガスメータと別体に構成された装置内に設けられ、ガスメータから前記信号線を介して入力した前記ガス流量値に基づいて検出した使用中のガス器具のガス流量パターンと対比して使用中のガス器具を判別するためのガス流量パターンを登録することを特徴とする。
【００１２】
請求項３記載の発明によれば、信号線を介してガスメータに接続されガスメータと別体に構成された装置内に、第１の記憶手段２３−１と、入力手段２４と、ガス流量パターン抽出手段２３−２とが設けられているので、登録用ガス流量パターンテーブル及び登録ガス流量パターンテーブルの格納（登録）の全てをガスメータと別体に構成された装置内で行い、ガスメータはガスメータにおいて検知したガス流量値を通信線を介して出力するだけでよい。
【００１３】
請求項４に係るガス器具判別用ガス流量パターン登録装置は、請求項２記載のガス器具判別用ガス流量パターン登録装置において、前記第１の記憶手段２３−１と、前記入力手段２４と、前記ガス流量パターン抽出手段２３−２とが通信線を介してガスメータに接続されガスメータと別体に構成された装置内に設けられ、前記第２の記憶手段１０１がガスメータ内に設けられ、ガスメータにおいて検知した前記ガス流量値に基づいて検出した使用中のガス器具のガス流量パターンと対比して使用中のガス器具をメータ内において判別するためのガス流量パターンを登録することを特徴とする。
【００１４】
請求項４記載の発明によれば、通信線を介してガスメータに接続されガスメータと別体に構成された装置内に、第１の記憶手段２３−１と、入力手段２４と、ガス流量パターン抽出手段２３−２とが設けられ、ガスメータ内に第２の記憶手段１０１が設けられているので、大きな記憶容量を必要とする登録用ガス流量パターンテーブルの格納、登録用ガス流量パターンテーブルを利用した製品番号の入力に応じたガス供給ラインに接続されるガス器具及び当該ガス器具に対応するガス流量パターンの抽出がガスメータと別体の装置内で行い、通信線を介して入力されたガス器具と当該ガス器具に対応するガス流量パターンとを対応付けした登録ガス流量パターンテーブルの格納（登録）をガスメータ側で行え、ガスメータにおいて検知した前記ガス流量値に基づいて検出した使用中のガス器具のガス流量パターンと対比して行う使用中のガス器具の判別をメータ内で行える。
【００１５】
請求項５に係るガス器具判別用ガス流量パターン登録装置は、請求項２〜４の何れかに記載のガス器具判別用ガス流量パターン登録装置において、前記入力手段２４はコード読取手段２５であり、前記第２の記憶手段１０１は、前記コード読取手段２５が前記登録用ガス流量パターンテーブルに格納されていない製品番号を読み取ったとき、前記コード読取手段により読み取った当該製品番号に対応するガス器具と当該ガス器具に対応するガス流量パターンとを対応付けした登録ガス流量パターンテーブルを追加格納することを特徴とする。
【００１６】
請求項５記載の発明によれば、入力手段２４はコード読取手段２５であり、入力手段２４であるコード読取手段２５が登録用ガス流量パターンテーブルに格納されていない製品番号を読み取ったとき、コード読取手段により読み取った当該製品番号に対応するガス器具と当該ガス器具に対応するガス流量パターンとを対応付けした登録ガス流量パターンテーブルを第２の記憶手段１０１が追加格納するので、既存のガス器具以外のガス器具がガス供給ラインに接続される場合であっても、ガス器具判別のためのガス流量パターンを登録することができる。
【００１７】
請求項６に係るガス器具判別装置は、ガス供給ラインに接続されているガス器具から使用中のガス器具を判別するガス器具判別装置であって、図１のブロック図に示すように、既存のガス器具の製品番号と、各製品番号に対応するガス器具及び当該ガス器具に対応するガス流量パターンとを予め対応付けした登録用ガス流量パターンテーブルを予め格納した第１の記憶手段２３−１と、前記ガス供給ラインに接続されるガス器具の製品番号を入力するための入力手段２４と、該入力手段による前記製品番号の入力に応じて、当該製品番号に対応付けられたガス器具及び当該ガス器具に対応するガス流量パターンを前記登録用ガス流量パターンテーブルから抽出するガス流量パターン抽出手段２３−２と、該抽出手段により抽出したガス器具と当該ガス器具に対応するガス流量パターンとを対応付けした登録ガス流量パターンテーブルを格納する第２の記憶手段１０１と、ガスメータにおいて検知したガス流量値に基づいて検出した使用中のガス器具のガス流量パターンを検出するガス流量パターン検出手段１０２と、該ガス流量パターン検出手段１０２により検出したガス流量パターンとマッチングするガス流量パターンを前記第２の記憶手段１０１に格納されている前記登録ガス流量パターンテーブルから抽出し、当該ガス流量パターンに対応付けられたガス器具を抽出するガス器具判別手段１０３とを備えることを特徴とする。
【００１８】
請求項６記載の発明によれば、既存のガス器具の製品番号と、各製品番号に対応するガス器具及び当該ガス器具に対応するガス流量パターンとを対応付けした登録用ガス流量パターンテーブルを第１の記憶手段２３−１に予め格納しておき、入力手段２４によりガス供給ラインに接続されるガス器具の製品番号を入力すると、これに応じて、当該製品番号に対応付けられたガス器具及び当該ガス器具に対応するガス流量パターンを、第１の記憶手段２３−１に予め格納登録用ガス流量パターンテーブルから抽出し、該抽出したガス器具と当該ガス器具に対応するガス流量パターンとを対応付けした登録ガス流量パターンテーブルを第２の記憶手段１０１に格納し、ガスメータにおいて検知したガス流量値に基づいて検出した使用中のガス器具のガス流量パターンをガス流量パターン検出手段１０２により検出し、検出したガス流量パターンとマッチングするガス流量パターンを第２の記憶手段１０１に格納されている登録ガス流量パターンテーブルから抽出し、当該ガス流量パターンに対応付けられたガス器具を抽出し、使用中のガス器具を判別するので、ガス供給ラインに接続されるガス器具のガス流量パターンを登録する際に、ガス供給ラインにガス器具を接続して当該ガス器具を実際に使用状態にすることなく、入力手段２４により製品番号を単に入力するだけで、入力手段２４により入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別することができる。
【００１９】
請求項７に係るガス器具判別装置は、請求項６記載のガス器具判別装置において、前記第１の記憶手段２３−１と、前記入力手段２４と、前記ガス流量パターン抽出手段２３−２と、前記第２の記憶手段１０１と、前記ガス流量パターン検出手段１０２と、前記ガス器具判別手段１０３とが、信号線を介してガスメータに接続されガスメータと別体に構成された装置内に設けられていることを特徴とする。
【００２０】
請求項７記載の発明によれば、信号線を介してガスメータに接続されガスメータと別体に構成された装置内に、第１の記憶手段２３−１と、入力手段２４と、ガス流量パターン抽出手段２３−２と、第２の記憶手段１０１と、ガス流量パターン検出手段１０２と、ガス器具判別手段１０３とが設けられているので、大きな記憶容量を必要とする登録用ガス流量パターンテーブル及び登録ガス流量パターンテーブルの格納、ガスメータにおいて検知したガス流量値に基づいて検出した使用中のガス器具のガス流量パターンの検出、検出したガス流量パターンとマッチングするガス流量パターンを登録ガス流量パターンテーブルからの抽出と当該ガス流量パターンに対応付けられたガス器具の抽出の全てをガスメータと別体に構成された装置内で行い、ガスメータはガスメータにおいて検知したガス流量値を信号線を介して出力するだけでよい。
【００２１】
請求項８に係るガス器具判別装置は、請求項６記載のガス器具判別装置において、前記第１の記憶手段２３−１と、前記入力手段２４と、前記ガス流量パターン抽出手段２３−２とが通信線を介してガスメータに接続されガスメータと別体に構成された装置内に設けられ、前記第２の記憶手段１０１と、前記ガスガス流量パターン検出手段１０２と、前記ガス器具判別手段１０３とがガスメータ内に設けられていることを特徴とする。
【００２２】
請求項８記載の発明によれば、通信線を介してガスメータに接続されガスメータと別体に構成された装置内に、第１の記憶手段２３−１と、入力手段２４と、ガス流量パターン抽出手段とが設けられ、ガスメータ内に第２の記憶手段１０１と、ガス流量パターン検出手段１０２と、ガス器具判別手段１０３とが設けられているので、大きな記憶容量を必要とする登録用ガス流量パターンテーブルの格納、登録用ガス流量パターンテーブルを利用した製品番号の入力に応じたガス供給ラインに接続されるガス器具及び当該ガス器具に対応するガス流量パターンの抽出をガスメータと別体の装置内で行い、通信線を介して入力されたガス器具と当該ガス器具に対応するガス流量パターンとを対応付けした登録ガス流量パターンテーブルの格納、ガスメータにおいて検知したガス流量値に基づいて検出した使用中のガス器具のガス流量パターンの検出、検出したガス流量パターンとマッチングするガス流量パターンを登録ガス流量パターンテーブルからの抽出と当該ガス流量パターンに対応付けられたガス器具の抽出（判別）をガスメータ側で行える。
【発明の効果】
【００２３】
請求項１記載の発明によれば、ガス供給ラインに接続されるガス器具のガス流量パターンを登録する際に、ガス供給ラインにガス器具を接続して当該ガス器具を実際に使用状態にすることなく、製品番号を単に入力するだけで、入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別するためのガス流量パターンを登録することができるできるので、ガス器具判別のためのガス流量パターンを登録するために要する時間を短縮するとともに手間を省き、利便性を向上したガス流量パターン登録方法を提供することができる。
【００２４】
請求項２記載の発明によれば、ガス供給ラインに接続されるガス器具のガス流量パターンを登録する際に、ガス供給ラインにガス器具を接続して当該ガス器具を実際に使用状態にすることなく、入力手段により製品番号を単に入力するだけで、入力手段により入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別するためのガス流量パターンを登録することができるので、ガス器具判別のためのガス流量パターンを登録するために要する時間を短縮するとともに手間を省き、利便性を向上したガス流量パターン登録装置を提供することができる。
【００２５】
請求項３記載の発明によれば、登録用ガス流量パターンテーブル及び登録ガス流量パターンテーブルの格納（登録）の全てをガスメータと別体に構成された装置内で行い、ガスメータはガスメータにおいて検知したガス流量値を通信線を介して出力するだけでよいので、ガスメータに登録用ガス流量パターンテーブル及び登録ガス流量パターンテーブルのいずれも持たせることも、そのための処理も行わせることが必要ない。
【００２６】
請求項４記載の発明によれば、大きな記憶容量を必要とする登録用ガス流量パターンテーブルの格納、登録用ガス流量パターンテーブルを利用した製品番号の入力に応じたガス供給ラインに接続されるガス器具及び当該ガス器具に対応するガス流量パターンの抽出がガスメータと別体の装置内で行い、通信線を介して入力されたガス器具と当該ガス器具に対応するガス流量パターンとを対応付けした登録ガス流量パターンテーブルの格納（登録）をガスメータ側で行え、ガスメータにおいて検知したガス流量値に基づいて検出した使用中のガス器具のガス流量パターンと対比して行う使用中のガス器具の判別をメータ内において行えるので、大容量のガスメータに登録用ガス流量パターンテーブルを持たせたり、登録のための処理を行わせることがガスメータに必要がなく、ガスメータ側で登録したガス流量パターンテーブを利用して使用中のガス器具の判別をおこなうことができる。
【００２７】
請求項５記載の発明によれば、既存のガス器具以外のガス器具がガス供給ラインに接続される場合であっても、そのガス流量パターンを登録するのに要する時間を短縮するとともに手間を省き、利便性を向上することができる。
【００２８】
請求項６記載の発明によれば、ガス供給ラインに接続されるガス器具のガス流量パターンを登録する際に、ガス供給ラインにガス器具を接続して当該ガス器具を実際に使用状態にすることなく、入力手段により製品番号を単に入力するだけで、入力手段により入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別することができるので、ガス器具判別のためのガス流量パターンを登録するために要する時間を短縮するとともに手間を省き、利便性を向上したガス器具判別装置を提供することができる。
【００２９】
請求項７記載の発明によれば、大きな記憶容量を必要とする登録用ガス流量パターンテーブル及び登録ガス流量パターンテーブルの格納、ガスメータにおいて検知したガス流量値に基づいて検出した使用中のガス器具のガス流量パターンの検出、検出したガス流量パターンとマッチングするガス流量パターンを登録ガス流量パターンテーブルからの抽出と当該ガス流量パターンに対応付けられたガス器具の抽出の全てをガスメータと別体に構成された装置内で行い、ガスメータはガスメータにおいて検知したガス流量値を信号線を介して出力するだけでよいので、ガスメータに、登録用ガス流量パターンテーブル及び登録ガス流量パターンテーブルのいずれも持たせることがなく、ガス流量パターンの登録及びこれを利用したガス器具の判別のための処理も行わせることが必要ない。
【００３０】
請求項８記載の発明によれば、大きな記憶容量を必要とする登録用ガス流量パターンテーブルの格納、登録用ガス流量パターンテーブルを利用した製品番号の入力に応じたガス供給ラインに接続されるガス器具及び当該ガス器具に対応するガス流量パターンの抽出をガスメータと別体の装置内で行い、通信線を介して入力されたガス器具と当該ガス器具に対応するガス流量パターンとを対応付けした登録ガス流量パターンテーブルの格納、ガスメータにおいて検知したガス流量値に基づいて検出した使用中のガス器具のガス流量パターンの検出、検出したガス流量パターンとマッチングするガス流量パターンを登録ガス流量パターンテーブルからの抽出と当該ガス流量パターンに対応付けられたガス器具の抽出（判別）をガスメータ側で行えるので、ガスメータに大きな負担を掛けることなく、ガス器具を判別した処理をガスメータに行わせることができる。
【発明を実施するための最良の形態】
【００３１】
以下、本発明に係るガス器具判別装置の実施形態を図面を参照して説明する。
【００３２】
図２は第１の実施形態に係るガス器具判別装置の電気的な概略構成を示すブロック図である。本実施形態では、ガス器具判別装置は、ガスメータ１と、ガスメータと別体に構成され、通信線Ｌを介してガスメータ１に接続されて家屋Ｈ内の例えば台所などに設置されるガス器具別積算流量表示装置２とから構成されている。ガス器具別積算流量表示装置２は、ガス器具別のガス使用量を表示するなどのサービスを提供するが、詳細には後述する。
【００３３】
同図において、ガスメータ１は、供給管３を通じて家屋４内のガスコンロ４ａ、ガスファンヒータ４ｂ、ガス床暖房器４ｃなどのガス器具に供給されるガス量を積算計量して積算ガス使用量として表示するためのもので、供給管３のガス流路内に設けられたガス流量検知部１１と、ガス流量検知部１１からの流量検知信号に基づいて瞬時ガス流量を計測し、該計測して得た瞬時ガス流量値を積算計量して表示部１２に表示させるガスメータ制御部１３とを有する。ガスメータ制御部１３は、例えば制御プログラムがインストールされたマイクロコンピュータで実現される。それに伴い、電池１４が動作電源としてガスメータ制御部１３に接続されている。
【００３４】
更に、ガスメータ１には、ガス流量検知部１１からの流量検知信号に基づいて計測して得た瞬時ガス流量値を信号線Ｌを介してガス器具別積算流量表示装置２に送信する通信部１５を有する。なお、ガスメータ１には、それ以外にも、種々のセンサやアクチュエータが設けられているが、本発明に直接関係ないので、図示及び説明を省略している。。
【００３５】
本実施の形態形態におけるガス流量検出部１１は、従来のガスメータで広く使用されていた一定の体積のガスが流れたときにパルス信号を出力する膜式流量計ではなく、瞬間的なガス流量を検出することができる流量計測手段である。例えば、ガス流路に沿って双方向に超音波を送出し、それぞれの伝播時間からガス流速を検出し、ガス配管の断面積との関係から瞬間ガス流量信号を出力する超音波流量計が好ましい。それ以外には、ガス流にカルマン渦を発生させその振動周波数から流速を検出するフルイディックメータや、熱線からの温度分布がガス流量に応じて変化したのを検出する熱線式流量計であってもよい。
【００３６】
上記のような、瞬間的なガス流量を検出することができるガス流量計を使用することにより、ガス流量パターンを基準にしたガス器具の判定を可能にする程度に、時間に対するガス流量の波形をより正確に検出することができる。
【００３７】
同図において、ガス器具別積算流量表示装置２は、ガスメータ１が信号線Ｌを介して送信する瞬時ガス流量値を取得し、家屋Ｈ内のガス管に接続されるガス器具を使用中のガス流量の変化から判定し、ガス器具別にガス流量を積算したガス器具別積算流量を表示するためのもので、信号線Ｌを介してガスメータ１の通信部１５に接続され、信号線Ｌを介してガスメータ１から送信されるガス流量値を受信する通信部２１と、通信部２１で受信したガス流量値を取り込み、取り込んだガス流量値の時間に対する変化であるガス流量パターンに基づいて使用ガス器具を判別し、この判別したガス器具毎に、取り込んだガス流量値を積算し、ガス器具別積算流量を表示部２２に表示させる制御部２３と、制御部２３に対する入力を行うための例えばタッチパネル式の入力部２４とを有する。制御部２３は、例えば制御プログラムがインストールされたマイクロコンピュータにより実現され、制御プログラムやデータが格納されたＲＯＭと、一時的にデータを記憶するＲＡＭと、制御プログラムを実行するＣＰＵとからなる。
【００３８】
ガス器具別積算流量表示装置２は、通常モードと、入力部２４からの特定のキー入力によって指定されたときのみ入る登録モードとの２つの動作モードを有する。登録モードでは、予め用意したテーブルを利用してガス供給ラインに接続されたガス器具を登録し、通常モードでは、登録されたガス器具のうち使用されたガス器具を判別し、判別したガス器具毎にガス流量を積算計量する。この２つの動作モードを実行するために、ガス器具別積算流量表示装置２は、制御部２３内の電気的に書き替え可能なＲＯＭ内に登録用ガス流量パターンテーブルを予め備えるとともに、ガス器具が登録される毎に作成される登録ガス流量パターンテーブルと、登録されたガス器具に対応して作成されるガス器具別ガス流量積算部とを有する。
【００３９】
登録用ガス流量パターンテーブルは、登録ガス流量パターンテーブルを作成するために使用されるもので、図３に示すように、設置される可能性のある既存のガス器具について、製品毎に付されている製品番号のうちの型式に係わる製品番号と、当該製品番号に対応するガス器具及び当該ガス器具に対応するガス流量パターンとを対応付けしたもので、制御部２３が内蔵する電気的に書き替え可能なＲＯＭ内に予め用意された第１の記憶手段２３−１としての登録用ガス流量パターンテーブルエリアに予め格納されている。ガス器具については、ガスコンロ、ガスファンヒータ、ガス床暖房器などの器具別のコードが割り振られる。ガス流量パターンは、例えば、点火から定常状態までのガス流量値と定常状態でのガス流量値からなる。
【００４０】
登録ガス流量パターンテーブルは、設置されるガス器具の製品番号に基づいて図３の登録用ガス流量パターンテーブルから抽出した当該製品番号に対応するガス器具と及び当該ガス器具に対応するガス流量パターンを、制御部２３が内部に有する電気的に書き替え可能なＲＯＭ内に予め用意された第２の記憶手段１０１としての登録ガス流量パターンテーブルエリアに格納して作成され、図４に示すように、設置されたガス器具について、設置されたガス器具と当該ガス器具に対応するガス流量パターンとを対応付けしたものである。なお、同種のガス器具が複数台設置される場合には、ガス器具に連番を自動的に付して互いに区別できるようにする。
【００４１】
上述したように、登録ガス流量パターンテーブルは、設置されるガス器具の製品番号に基づいて、設置される可能性のある既存のガス器具について、製品毎に付されている製品番号のうちの型式に係わる製品番号と、当該製品番号に対応するガス器具及び当該ガス器具に対応するガス流量パターンとを対応付けした登録用ガス流量パターンテーブルから、ガス器具の製品番号に対応付けられたガス器具及び当該ガス器具に対応するガス流量パターンを抽出し、これを制御部２３が内部に有する電気的に書き替え可能なＲＯＭ内に予め用意された第２の記憶手段１０１としての登録ガス流量パターンテーブルエリアに格納して作成されるので、設置したガス器具に実際に流れるガス流量を検出してガス流量パターンを得ることが必要なく、設置したガス器具のガス流量パターンの登録が短時間に簡単に行う事ができる。
【００４２】
ガス器具別ガス流量積算部は、登録ガス流量パターンテーブルにガス器具が登録される毎に、電気的に書き替え可能なＲＯＭ内に予め用意されたガス流量積算部エリアに当該ガス器具に対応して追加されるもので、図５に示すように、ガス器具と当該ガス器具に対応したガス流量積算部とからなる。
【００４３】
ガス器具別積算流量表示装置２において、入力部２４が有する登録モードを選択するスイッチの操作によって登録モードが指定されているとき、入力部２４が有するテンキースイッチによって製品番号が入力されると、制御部２３は入力された製品番号により当該製品番号に対応付けられたガス器具と当該ガス器具に対応するガス流量パターンを登録用ガス流量パターンテーブルから抽出し、この抽出したガス器具と当該ガス器具に対応するガス流量パターンとを対応付けした登録ガス流量パターンテーブルを制御部２３内の電気的に書き替え可能なＲＯＭに第２の記憶手段１０１として予め用意した登録ガス流量パターンテーブルエリアに格納して登録する。
【００４４】
必要な登録を行った後、入力部２４が有する通常モードを選択するスイッチの操作によって通常モードが指定されるとき、制御部２３はガスメータ１からガス流量値を取り込み、一定時間分のガス流量値を記憶するメモリに一時的に格納し、このメモリに一時的に格納した一定時間分のガス流量値により、ガス器具の使用が開始されたと判断したときには、その点火から定常状態に至るガス流量値によるガス流量パターンとマッチングするガス流量パターンを登録ガス流量パターンテーブルから抽出し、この抽出したガス流量パターンに対応するガス器具を抽出してガス器具を判別する。なお、一時格納メモリは制御部２３内のＲＡＭに形成される。
【００４５】
ガス器具が判別されると、登録ガス流量パターンテーブルに登録されているガス器具にそれぞれ対応してメモリに用意されたガス器具別ガス流量積算部のうち、判別されたガス器具に対応するガス器具別ガス流量積算部に、上記判定までに一時格納メモリに格納したガス流量値の積算値と、以後取り込むガス流量値とをこの積算部の積算値に順次積算させる。ガスメータ１からガス流量値を取り込むガス流量値はその後も一定時間分メモリに一時的に格納していて、この格納したガス流量値により、登録ガス流量パターンテーブルの定常状態の値と一致しなくなったとき、当該ガス器具の使用が終了したとして、当該ガス器具に対応するガス器具別ガス流量積算部におけるガス流量値の積算を停止する。
【００４６】
以上、ガス器具判別装置の概略構成と動作を説明したが、続いて、ガス器具別積算流量表示装置２の制御２３において、ＲＯＭに格納されたプログラムに従いＣＰＵが行う処理を示す図６〜図  フローチャートを参照してその詳細を説明する。
【００４７】
制御部２３のＣＰＵは、図６のフローチャートに示すように、図示しない電源の投入によって動作を開始し、入力部２４のスイッチ操作によって登録モードが選択されているとき（ステップＳ１がＹのとき）には、登録ガス流量パターンテーブルを作成する登録ガス流量パターンテーブル作成処理を行い（ステップＳ２）、それ以外のとき（ステップＳ１がＮのとき）には、通常モード処理を行う（ステップＳ３）。
【００４８】
登録ガス流量パターンテーブル作成処理においては、図７のフローチャートに示すように、入力部２４のテンキースイッチの操作によってテンキー入力されるか、登録モードの終了スイッチ操作が行われるのを待つ（ステップＳ２１ａ、ステップＳ２１ｂ）。テンキー入力があり（ステップＳ２１ａがＹのとき）、入力された数字が設置されるガス器具の製品番号である場合（ステップＳ２３がＹのとき）には、図３の予め用意してある登録用ガス流量パターンテーブルに、入力した製品番号に一致する製品番号が有るかを判断する（ステップＳ２４）。なお、テンキー操作によって入力された数字は表示部２２に表示される。登録用ガス流量パターンテーブルに、入力した製品番号に一致する製品番号があるとき（ステップＳ２４がＹのとき）には、登録用ガス流量パターンテーブルにおいてその製品番号に対応付けられているガス器具及び当該ガス器具に対応したガス流量パターンを抽出し（ステップＳ２５）、この抽出したガス器具及び当該ガス器具に対応したガス流量パターンを、設置したガス器具のガス流量パターンとして追加して図４の登録ガス流用パターンテーブルを作成する（ステップ２６）。制御部２３のＣＰＵは、この処理によって、入力部２４による製品番号の入力に応じて、当該製品番号に対応付けられたガス器具及び当該ガス器具に対応するガス流量パターンを登録用ガス流量パターンテーブルから抽出するガス流量パターン抽出手段２３−２として機能する。
【００４９】
入力部２４からのテンキー入力の桁数に過不足があり、製品番号でないとき（ステップＳ２２がＮのとき）にはエラー表示を表示部２２に行って（ステップＳ２７）、次のテンキー入力を待つ。また、入力した製品番号に一致する製品番号が登録用ガス流量パターンンテーブルにないとき（ステップＳ２４がＮのとき）にも、エラー表示を表示部２２に行って（ステップＳ２７）、次のテンキー入力を待つ。なお、登録モードの終了スイッチ操作が行われたとき（ステップＳ２１ｂがＹのとき）には、図６の元のフローチャートに戻る。
【００５０】
次に、通常モード処理を図８のフローチャートを参照して説明する。制御部２３はガスメータ１から信号線Ｌを介して送出されるガス流量値を取得して一定時間分のガス流量値を格納する一時格納メモリに格納する（ステップＳ２１）。ガス流量値を一時格納メモリに格納する毎に、使用中のガス器具が判別されているかどうか判断する（ステップＳ２２）。判別済みのガス器具がある場合（ステップＳ２２がＹのとき）には、一時格納メモリに格納したガス流量値に基づいて、判別済みのガス器具分のガス流量の積算を当該ガス器具に対して割り当てられてガス器具別流量積算部に行わせてから（ステップＳ２３）、ステップＳ２１に戻ってガスメータ１からの次のガス流量値を取得する。
【００５１】
ガス流夜値を取得したとき使用中のガス器具が判別されていないとき（ステップＳ２２がＮのとき）には、取得したガス流量値を一時格納メモリに格納する（ステップＳ２４）。一時格納メモリに格納されている一定時間分の流量値に基づくガス流量パターンを、登録ガス流量パターンテーブル中のガス流量パターンとマッチングのため比較する（ステップＳ２４）。比較の結果、マッチングするガス流量パターンがあるとき（ステップＳ２５がＹのとき）には、マッチングするガス流量パターンに対応するガス器具に対して割り当てられてたガス器具別ガス流量積算部に、一時格納メモリ内のマッチングしたガス流量パターンに対応したガス流量値の積算値を積算させるてから（ステップＳ２６）、ステップＳ２１に戻ってガスメータ１からの次のガス流量値を取得する。以上の処理によって、制御部２３のＣＰＵは、ガスメータにおいて検知したガス流量値に基づいて検出した使用中のガス器具のガス流量パターンをガス流量パターン検出手段１０２、ガス流量パターン検出手段１０２により検出したガス流量パターンとマッチングするガス流量パターンを前記第２の記憶手段１０１に格納されている前記登録ガス流量パターンテーブルから抽出し、当該ガス流量パターンに対応付けられたガス器具を抽出するガス器具判別手段１０３として機能している。
【００５２】
なお、使用ガス器具が判別されているとき、別のガス器具の使用が開始される場合が考えられる。この様な場合に対応できるようにするには、一時格納メモリに格納されているガス流量値から判別されているガス器具の定常状態での流量値を差し引いた残部に基づくガス流量パターンと登録ガス流量パターンテーブル中のガス流量パターンとのマッチングによって新たに使用を開始したガス器具を判別することができる。
【００５３】
また、２以上のガス器具が使用されているときには、取得したガス流量値を各ガス器具の定常状態のガス流量に応じて配分して積算することになる。
【００５４】
さらに、使用中の複数のガス器具の１つが使用を終了したときには、取得したガス流量値に変化が現れ、その変化は使用を終了したガス器具の定常状態の流量に相当するので、取得したガス流量値の変化パターンと、登録ガス流量パターンテーブル内のガス流量パターンとのマッチングをとることによって、使用を終了したガス器具を判別することができる。
【００５５】
上述した実施形態では、設置したガス器具を登録する際の製品番号の入力を入力部２４におけるテンキー操作によって行っているが、製品番号の情報がバーコードやＩＣタグによってガス器具に付与されている場合には、図２に破線で示すように入力部２４に替えて、或いは、追加してバーコードやＩＣタグからデータを読み取るデータ読取器からなる読取入力部２５を設けるようにしてもよく、この様な読取入力部２５を設けた場合には、登録の際にテンキー操作を誤って正しくない製品番号を入力し、誤った製品番号のガス器具を登録してしまうことが防止できる。
【００５６】
また、このような読取入力部２５を設けた場合には、製品番号だけでなく、製品番号に対応するガス器具及び当該ガス器具に対応するガス流量パターンの情報をバーコード或いはＩＣタグに記録しておくことで、登録用ガス流量パターンテーブルに格納されていない製品番号のガス器具について、バーコード或いはＩＣタグから読取入力部２５により、製品番号とともに読み取ったガス器具と当該ガス器具に対応するガス流量パターンとを対応付けした登録ガス流量パターンテーブルを追加格納することができる。
【００５７】
登録用ガス流量パターンテーブルに格納されていない製品番号のガス器具について、当該ガス器具のガス流量パターンを登録用ガス流量パターンテーブルに追加する方法としては、ガス器具別積算流量表示装置２に外部インターフェースを設け、このインターフェースを通じて入手したデータによって、登録用ガス流量パターンテーブルの内容を新しく更新するようにしておけば、用意したテーブルにない新製品のガス器具にも随時対応することができる。
【００５８】
上述した第１の実施形態では、ガスメータ１にガス流量値の送出のみを行わせ、設置したガス器具の登録と、使用中のガス器具の判別と、判別したガス器具別のガス流量の積算と、ガス器具別積算流量の表示の全てをガス器具別積算流量表示装置２において行っている。
【００５９】
しかし、使用中のガス器具の判別と、ガス器具別のガス流量積算の両方をガスメータ１側において行わせ、ガス器具別積算流量表示装置２においては、設置したガス器具の登録とガス器具別積算流量の表示を行わせるようにすることができ、この第２の実施形態を以下説明する。
【００６０】
第２の実施形態では、ガス器具別積算流量表示装置２の制御部２３においては、入力部２４が有する登録モードを選択するスイッチの操作によって登録モードが指定されているとき、入力部２４が有するテンキースイッチによって製品番号が入力されると、制御部２３は入力された製品番号により当該製品番号に対応付けられたガス器具と当該ガス器具に対応するガス流量パターンを登録用ガス流量パターンテーブルから抽出し、この抽出したガス器具と当該ガス器具に対応するガス流量パターンを登録ガス流量パターンテーブルを作成するところまでを行う。そして、作成した登録ガス流量パターンテーブルは、通信部１５及び２１間で双方向の通信を行う通信線を介してガス器具別積算流量表示装置２の制御部２３からガスメータ１の制御部１３に送信されて制御部１３内の電気的に書き替え可能なＲＯＭに第２の記憶手段１０１として予め用意した登録ガス流量パターンテーブルエリアに格納される。
【００６１】
また、第２の実施形態では、通常モードにおいて、ガス器具別積算流量表示装置２の制御部２１がガスメータ１からガス流量値を取り込んで行っているガス器具の判別と判別したガス器具毎別のガス流量積算をガスメータ１の制御部１３内の電気的に書き替え可能なＲＯＭに用意したガス器具毎別ガス流量積算部において行う。ガス器具毎別ガス流量積算部の流量積算値は、通信線を介してガス器具別積算流量表示装置２の制御部２３からの要求があったとき、ガスメータ１の制御部１３からガス器具別積算流量表示装置２に対して送出される。ガスメータ１の制御部１３から送出されガス器具別積算流量表示装置２により受け取られた流量積算値は制御部２３内のメモリに形成された流量積算値格納部内のそれ以前のガス流量積算値を更新する。この流量積算値格納部内のガス流量積算値によってガス器具別の流量積算値が表示部２２に表示される。
【００６２】
なお、ガスメータ１の制御部１３が行うガス器具の判別とガス器具別のガス流量の積算の仕方については、ガス流量値がガスメータ１内部で発生するものであることを除いて、ガス器具別積算流量表示装置２の制御部２３が行っている処理と実質的に同じである。
したがって、制御部１３のＣＰＵは、ガスメータにおいて検知したガス流量値に基づいて検出した使用中のガス器具のガス流量パターンをガス流量パターン検出手段１０２、ガス流量パターン検出手段１０２により検出したガス流量パターンとマッチングするガス流量パターンを前記第２の記憶手段１０１に格納されている前記登録ガス流量パターンテーブルから抽出し、当該ガス流量パターンに対応付けられたガス器具を抽出するガス器具判別手段１０３としても機能している。
【００６３】
すなわち、ガスメータ１の制御部１３は、ガスメータ１内のガス流量検知部１１からガス流量信号から瞬時ガス流量値を求め、一定時間分のガス流量値を記憶するメモリに一時的に格納し、このメモリに一時的に格納した一定時間分のガス流量値により、ガス器具の使用が開始されたと判断したときには、その点火から定常状態に至るガス流量値によるガス流量パターンとマッチングするガス流量パターンを登録ガス流量パターンテーブルから抽出し、この抽出したガス流量パターンに対応するガス器具を抽出してガス器具を判別する。なお、一時格納メモリは制御部１３内のＲＡＭに形成される。
【００６４】
ガス器具が判別されると、登録ガス流量パターンテーブルに登録されているガス器具にそれぞれ対応してメモリに用意されたガス器具別ガス流量積算部のうち、判別されたガス器具に対応するガス器具別ガス流量積算部に、上記判定までに一時格納メモリに格納したガス流量値の積算値と、以後取り込むガス流量値とをこの積算部の積算値に順次積算させる。ガス流量値はその後も一定時間分メモリに一時的に格納していて、この格納したガス流量値により、登録ガス流量パターンテーブルの定常状態の値と一致しなくなったとき、当該ガス器具の使用が終了したとして、当該ガス器具に対応するガス器具別ガス流量積算部におけるガス流量値の積算を停止する。
【００６５】
したがって、ガスメータ１の制御部１３は、図８に示した制御部２３の処理と同等の処理によってガス器具の判別とガス器具別のガス流量積算を行うことができるようになり、制御部１３が行う処理を示すフローチャートは図示を省略する。
【００６６】
以上説明したように、ガス供給ラインに接続されるガス器具のガス流量パターンを登録する際に、ガス供給ラインにガス器具を接続して当該ガス器具を実際に使用状態にすることなく、製品番号を単に入力するだけで、入力した製品番号に対応付けられたガス器具及び当該ガス器具に対応するガス流量パターンを登録用ガス流量パターンテーブルから抽出し、該抽出したガス器具と当該ガス器具に対応するガス流量パターンとを対応付けした登録ガス流量パターンテーブルを第２の記憶手段に格納し、ガスメータにおいて検知したガス流量値に基づいて検出した使用中のガス器具のガス流量パターンと対比して使用中のガス器具を判別するためのガス流量パターンを登録することができるできるので、ガス器具判別のためのガス流量パターンを登録するために要する時間を短縮するとともに手間を省き、利便性を向上することができる。
【図面の簡単な説明】
【００６７】
【図１】本発明によるガス器具判別用ガス流量パターン登録装置を組み込んだガス器具判別装置の基本構成を示すブロック図である。
【図２】本発明によるガス器具判別装置の実施形態の構成を示すブロック図である。
【図３】登録用ガス流量パターンテーブルを示す図である。
【図４】登録ガス流量パターンテーブルを示す図である。
【図５】ガス器具別のガス流量積算部を示す図である。
【図６】ガス器具別積算流量表示装置の制御部が行う処理の全体を簡略して示すフローチャート図である。
【図７】図６中の登録ガス流量パターンテーブル作成処理の詳細を示すフローチャート図である。
【図８】図６中の通常モード処理の詳細を示すフローチャート図である。
【符号の説明】
【００６８】
２３−１  第１の記憶手段（制御部２３のＲＯＭ）
２３−２  ガス流量パターン抽出手段（制御部２３のＣＰＵ）
２４  入力手段（入力部）
２５  読取入力手段（読取入力部）
１０１  第２の記憶手段（制御部１３又は２３のＲＯＭ）
１０２  ガス流量パターン検出手段（制御部１３又は２３のＣＰＵ）
１０３  ガス器具判別手段（制御部１３又は２３のＣＰＵ）
【図１】
2008185485.tif 000003
【図２】
2008185485.tif 000004
【図３】
2008185485.tif 000005
【図４】
2008185485.tif 000006
【図５】
2008185485.tif 000007
【図６】
2008185485.tif 000008
【図７】
2008185485.tif 000009
【図８】
2008185485.tif 000010